(57)【要約】【課題】切削油や粘度の高いグリース類等の頑固な汚れを除去する効果が求められる物体や人体に対して安全で簡単に洗浄できる研磨剤含有洗浄剤の提供。【解決手段】  エチレンオキシド残基及びプロピレンオキサイド残基から選ばれる１種または２種の親水基を有し炭素数が８〜１４の分枝鎖状の飽和または不飽和炭素鎖を疎水基とする界面活性剤を配合してなる研磨剤含有洗浄剤。【選択図】なし【特許請求の範囲】
【請求項１】
エチレンオキサイド残基及びプロピレンオキサイド残基から選ばれる１種または２種の親水基を有し、炭素数が８〜１４の分枝鎖状の飽和または不飽和炭素鎖を疎水基とする界面活性剤を配合してなる研磨剤含有洗浄剤。
【請求項２】
界面活性剤の疎水基が第２アルコールまたはゲルベアルコールであることを特徴とする請求項１記載の研磨剤含有洗浄剤。
【請求項３】
界面活性剤の親水基のエチレンオキサイド残基及びプロピレンオキサイド残基の全平均付加モル数が１モル以上であることを特徴とする請求項１又は２に記載の研磨剤含有洗浄剤。
【請求項４】
固体表面の洗浄に用いられる事を特徴とする請求項１〜３のいずれかに記載の研磨剤含有洗浄剤。
【請求項５】
手指の清浄に用いられる事を特徴とする請求項１〜４のいずれかに記載の研磨剤含有洗浄剤。             
【発明の詳細な説明】
【技術分野】
【０００１】
本発明は、エチレンオキシド残基及びプロピレンオキサイド残基からなる親水基を有し炭素数が８〜１４の分枝鎖状の飽和または不飽和炭素鎖を疎水基とする界面活性剤を配合してなる研磨剤含有洗浄剤に関する。
【背景技術】
【０００２】
従来より、研磨剤含有洗浄剤は強力な汚れ落しとして日常雑貨や化粧品分野、工業分野等で広く一般的に使用されている。
通常、特許文献１に記載されている通り洗浄剤としては溶剤や界面活性剤等が使用されている。しかし、溶剤を使用すると洗浄力は高いが環境負荷が大きく皮膚刺激が強い等の問題が多い。一方、界面活性剤は低刺激で環境にも良好であるが洗浄力が弱い欠点を有している事が一般  的に知られている。更に、洗浄力不足を補う目的で研磨剤を配合する記載例が特許文献２や特許文献３に示されているが固体表面や手指に付着した金属加工時に使用される切削油やグリース類等の粘度が高い汚れに対しては十分な洗浄力を有してはいなかった。
【０００３】
【特許文献１】特開平１０−２０４４９１号公報
【特許文献２】特開平２−８０４９７号公報
【特許文献３】特開平１０−２５２３９号公報
【発明の開示】
【発明が解決しようとする課題】
【０００４】
本発明は高い洗浄力でありながら環境性が良好で皮膚刺激を低減した固体表面や手指に付着した汚れを除去する研磨剤含有洗浄剤を提供することを目的とする。
【課題を解決するための手段】
【０００５】
本発明者は、上記課題を解決するために鋭意研究を重ねた結果、エチレンオキシド残基及びプロピレンオキサイド残基からなる親水基を有し炭素数が８〜１４の分枝鎖状の飽和または不飽和炭素鎖を疎水基とする界面活性剤を配合してなる研磨剤含有洗浄剤が、その目的に適合しうることを見出し、この知見に基づいて本発明をなすに至った。
すなわち、本発明は下記に示す通りである。
１．エチレンオキシド残基及びプロピレンオキサイド残基から選ばれる１種または２種の親水基を有し、炭素数が８〜１４の分枝鎖状の飽和または不飽和炭素鎖を疎水基とする界面活性剤を配合してなる研磨剤含有洗浄剤。
２．界面活性剤として、疎水基が第２アルコールまたはゲルベアルコールであることを特徴とする前記１記載の研磨剤含有洗浄剤。
３．界面活性剤の親水基のエチレンオキシド残基及びプロピレンオキサイド残基の全平均付加モル数が１モル以上であることを特徴とする前記１又は２に記載の研磨剤含有洗浄剤。
４．固体表面の洗浄に用いられる事を特徴とする前記１〜３のいずれかに記載の研磨剤含有洗浄剤。
５．手指の清浄に用いられる事を特徴とする前記１〜４いずれかに記載の研磨剤含有洗浄剤。
【発明の効果】
【０００６】
洗浄力がある界面活性剤や研磨剤を洗浄剤に使用することは公知技術であるが、本発明のエチレンオキシド残基及びプロピレンオキサイド残基からなる親水基を有し炭素数が８
〜１４の分枝鎖状の飽和または不飽和炭素鎖を疎水基とする界面活性剤を配合してなる研磨剤含有洗浄剤は固体表面や手指に付着した金属加工時に使用される切削油やグリース類など粘性が高い油脂類に対して高い洗浄力を有し生分解が良好な効果を有する。更に驚くべき事に本発明の研磨剤含有洗浄剤は高洗浄力でありながら皮膚刺激が低い効果も有する。
【発明を実施するための最良の形態】
【０００７】
本発明について、以下具体的に説明する。
本発明のエチレンオキシド残基及びプロピレンオキサイド残基から選ばれる１種または２種の親水基を有し炭素数が８〜１４の分枝鎖状の飽和または不飽和炭素鎖を疎水基とする界面活性剤を配合してなる研磨剤含有洗浄剤の界面活性剤の配合量は特に限定されるものでない。
また、界面活性剤の疎水基としては炭素数が８〜１４の第２アルコールまたはゲルベアルコールが洗浄力、皮膚刺激性、生分解性の点で優れている。ここで言う第２アルコールとは、下記式１の水酸基を持つ炭素原子に１原子の水素が結合をしているものを言い、ゲルベアルコールとは、下記式２の水酸基を持つ炭素原子に２原子の水素が結合をしているものを言う。
【０００８】
【化１】
2006160964.tif 000002
【化２】
2006160964.tif 000003
【０００９】
一方、界面活性剤の親水基のエチレンオキシド残基及びプロピレンオキサイド残基の全平均付加モル数が１モル以上であれば洗浄力、皮膚刺激性、生分解性の点で優れている。エチレンオキシド残基及びプロピレンオキサイド残基から選ばれる１種または２種の全平均付加モル数の上限は特に限定されるものでないが５０モル以下が好ましい。更に好ましくはエチレンオキシド残基とプロピレンオキサイド残基の全平均付加モル数が、それぞれ３０モル以下であれば好ましい。
本発明の界面活性剤は特に限定されるものでないが、例えばポリオキシエチレン（２モル）アルキルエーテル（アルキル：Ｃ１４の２級アルコール）、ポリオキシエチレン（３０モル）アルキルエーテル（アルキル：Ｃ８のゲルベアルコール）、ポリオキシエチレン（６モル）ポリオキシプロピレン（２モル）アルキルエーテル（アルキル：Ｃ１０のゲルベアルコール）、ポリオキシエチレン（１０モル）ポリオキシプロピレン（１０モル）アルキルエーテル（アルキル：Ｃ１２の２級アルコール）等を挙げる事が出来る。特に、ポリオキシエチレン（以下ＰＯＥと略す）（６）ポリオキシプロピレン（以下ＰＯＰと略す）（２）アルキルエーテル（アルキル：Ｃ１０のゲルベアルコール）：第一工業製薬株式会社製ノイゲンＸＬ−６０やＰＯＥ（８）ＰＯＰ（２）アルキルエーテル（アルキル：Ｃ１０のゲルベアルコール）：第一工業製薬株式会社製ノイゲンＸＬ−８０、
ＰＯＥ（９）アルキルエーテル（アルキル：Ｃ１２の２級アルコール）：株式会社日本
触媒社製ソフタノール９０、ＰＯＥ（７）アルキルエーテル（アルキル：Ｃ１２の２級アルコール）：株式会社日本触媒社製ソフタノール７０、それらを組み合わせる等が好ましい。
【００１０】
また、本発明の固体表面とは日常生活していると汚れが付着する固体表面の事を言う。例えば、ステンレスや机、樹脂、陶器、人工大理石、フローリング、眼鏡のフレームやレンズ、電話機、ガラス、レザー、材木、毛髪を含む人体、皮膚、動物、金属等である。特に好ましいのは人体の皮脂や手指に付着した切削油やグリース類、土汚れ、カーボン等の汚れを落とすのに適している。
本発明に使用される研磨剤は常温（２５℃）で固体のものであれば何でも良く特に限定されるものでなくポリエチレンやポリビニルアルコール等の有機系、無水ケイ酸や酸化アルミニウム等の無機系、結晶セルロースやキトサン等の高分子類、ポリ乳酸やポリブチレンサクシネート等の生分解性研磨剤、コットンやレーヨン等の繊維、食塩や砂糖等の食品調味料等であれば何でも良い。特にカサ比重が小さい研磨剤はグリース類の汚れに対する洗浄力が高い。また、コットン類やアミノ酸類は皮膚に対する刺激を抑制する。例えば、ティコナジャパン株式会社製のＧＵＲ２１２２や旭化成ケミカルズ社製のセオラスＴＧ−１０１、発泡スチロールや中空粒子等、それらの組合せ等が特に好ましい。
一方、本発明の研磨剤含有洗浄剤は、発明の効果を阻害しない範囲において通常洗浄等等に用いられる界面活性剤や溶剤、油脂類、その他添加剤等を配合する事が出来る。
【００１１】
例えば陽イオン性界面活性剤としてはステアリン酸ジエチルアミノエチルアミド等の脂肪族アミン塩、塩化アルキルトリメチルアンモニウム、臭化アルキルトリメチルアンモニウム、アルキルトリメチルアンモニウムサッカリン、塩化ジポリオキシエチレンアルキルメチルアンモニウム等のアルキル４級アンモニウム、塩化アルキルジメチルベンジルアンモニウム、塩化ラウリルピジニウム、塩化アルキルジメチル（エチルベンジル）アンモニウム等の環式４級アンモニウム塩等が挙げられる。この中でも特に好ましいカチオン系界面活性剤として塩化アルキルトリメチルアンモニウム、臭化アルキルトリメチルアンモニウム、アルキルトリメチルアンモニウムサッカリン、塩化ジポリオキシエチレンアルキルメチルアンモニウム等のアルキル４級アンモニウム、塩化アルキルジメチルベンジルアンモニウム、塩化ラウリルピジニウム、塩化アルキルジメチル（エチルベンジル）アンモニウム等の環式４級アンモニウム塩等を挙げる事ができる。
両イオン性界面活性剤としてはラウリルジアミノエチルグリシンナトリウム、塩化アルキルジアミノエチルグリシン、ヤシ油脂肪酸アシル−Ｎ−カルボキシエトキシエチル−Ｎ−カルボキシエチルエチレンジアミン２ナトリウム等のグリシン型両性界面活性剤、ヤシ油脂肪酸アシル−Ｎ−ヒドロキシエチルエチレンジアミンナトリウム等のラウリルアミノプロピオン酸塩等のアミノプロピオン酸型両性両性界面活性剤、アルキルジメチルアミノ酢酸ベタイン、アルキルジメチルベタインナトリウム、ヤシ油脂肪酸アミドプロピルベタインラウリン酸アミドプロピル酢酸ベタイン等のアミノ酢酸ベタイン型両性界面活性剤、ラウリルヒドロキシスルホベタイン等のスルホベタイン型両性界面活性剤等が挙げられる。この中でも特に好ましい両性界面活性剤としてラウリルジアミノエチルグリシンナトリウム、塩化アルキルジアミノエチルグリシン、ヤシ油脂肪酸アシル−Ｎ−カルボキシエトキシエチル−Ｎ−カルボキシエチルエチレンジアミン２ナトリウム等のグリシン型両性界面活性剤、ヤシ油脂肪酸アシル−Ｎ−ヒドロキシエチルエチレンジアミンナトリウム等のラウリルアミノプロピオン酸塩等のアミノプロピオン酸型両性両性界面活性剤、アルキルジメチルアミノ酢酸ベタイン、アルキルジメチルベタインナトリウム、ヤシ油脂肪酸アミドプロピルベタインラウリン酸アミドプロピル酢酸ベタイン等のアミノ酢酸ベタイン型両性界面活性剤等を挙げる事ができる。  
【００１２】
陰イオン性界面活性剤としてはポリオキシエチレンアルキルエーテル酢酸及びその塩等のアルキルエーテルカルボン酸型アニオン系界面活性剤、Ｎ−アシルサルコシン塩、Ｎ−
アシルグルタミン酸塩、Ｎ−アシルアルキルタウリン塩等のＮ−アシル有機酸塩型アニオン系界面活性剤、α―オレフィンスルホン酸塩、アルキルスルホコハク酸塩等のスルホン酸塩型アニオン系界面活性剤、アルキル硫酸エステル塩等の硫酸塩型アニオン系界面活性剤、ポリオキシエチレンアルキルエーテルリン酸塩等のリン酸塩型アニオン系界面活性剤、ポリオキシエチレンラウリルエーテル硫酸ナトリウム等のポリオキシエチレンアルキルエーテル硫酸塩類等が挙げられる。この中でも特に好ましいアニオン系界面活性剤はとしてポリオキシエチレンアルキルエーテル酢酸及びその塩等のアルキルエーテルカルボン酸型アニオン系界面活性剤、Ｎ−アシルグルタミン酸塩、Ｎ−アシルアルキルタウリン塩等のＮ−アシル有機酸塩型アニオン系界面活性剤、ポリオキシエチレンラウリルエーテル硫酸ナトリウム等のポリオキシエチレンアルキルエーテル硫酸塩類等を挙げる事ができる。
【００１３】
非イオン性界面活性剤としてはレシチン、高分子乳化剤、グリセリン脂肪酸エステル、親油型モノステアリン酸グリセリン等のグリセリン脂肪酸エステル類、モノオレイン酸ポリグリセリル、ペンタオレイン酸ポリグリセリル、デカオレイン酸ポリグリセリル等のポリグリセリン脂肪酸エステル類、モノステアリン酸ポリオキシエチレングリセリン等のポリオキシエチレングリセリン脂肪酸エステル類、モノラウリン酸ソルビタン、モノオレイン酸ソルビタン、トリオレイン酸ソルビタン等のソルビタン脂肪酸エステル類、モノステアリン酸ポリオキシエチレンソルビタン、トリオレイン酸ポリオキシエチレンソルビタン等のポリオキシエチレンソルビタン脂肪酸エステル類、モノラウリン酸ポリオキシエチレンソルビット、テトラオレイン酸ポリオキシエチレンソルビット等のポリオキシエチレンソルビット脂肪酸エステル類、ポリオキシエチレンラノリン、ポリオキシエチレンソルビットミツロウ等のポリオキシエチレンラノリン・ラノリンアルコール・ミツロウ誘導体、ポリオキシエチレンヒマシ油、ポリオキシエチレン硬化ヒマシ油等のポリオキシエチレンヒマシ油・硬化ヒマシ油類、ポリオキシエチレンコレスタノールエーテル等のポリオキシエチレンステロール・水素添加ステロール類、モノステアリン酸エチレングリコール、モノオレイン酸ポリエチレングリコール等のポリエチレングリコール脂肪酸エステル類、ポリオキシエチレンラウリルエーテル、ポリオキシエチレンセチルエーテル、ポリオキシエチレンベヘニルエーテル等のポリオキシエチレンアルキルエーテル類、ポリオキシエチレンポリオキシプロピレンセチルエーテル、ポリオキシエチレンポリオキシプロピレンデシルテトラデシルエーテル等のポリオキシエチレンポリオキシプロピレンアルキルエーテル類、ポリオキシエチレンノニルフェニルエーテル等のポリオキシエチレンアルキルフェニルエーテル類、ポリオキシエチレンステアリン酸アミド等のポリオキシエチレンアルキルアミン・脂肪酸アミド類、ショ糖脂肪酸エステル、アルキルグルコシド等を挙げる事ができる。この中でも特に好ましいノニオン系界面活性剤としてレシチン、グリセリン脂肪酸エステル、親油型モノステアリン酸グリセリン等のグリセリン脂肪酸エステル類、モノオレイン酸ポリグリセリル、ペンタオレイン酸ポリグリセリル、デカオレイン酸ポリグリセリル等のポリグリセリン脂肪酸エステル類、モノラウリン酸ソルビタン、モノオレイン酸ソルビタン、トリオレイン酸ソルビタン等のソルビタン脂肪酸エステル類、ショ糖脂肪酸エステル、アルキルグルコシド等を挙げる事ができる。
これらの界面活性剤は１種単独あるいは２種以上と組み合わせて用いる事ができる。
【００１４】
本発明に使用できる溶剤として低級アルコールは炭素数１〜４の水溶性アルコール類であり具体的にはメタノール、エタノール、プロパノール、イソプロピルアルコール、２−メトキシエタノール、２−エトキシエタノール、２−メトキシプロパノール、２−メトキシイソプロパノール等のモノオール類やエチレングリコール、プロピレングリコール、１，３―プロパンジオール、２，３−ブタンジオール、１，２−ブタンジオール、１，３−ブタンジオール、１，４−ブタンジオール、２−メチルー１、２−プロパンジオール、ジエチレングリコール、１，４−ブチンジオール等のジオール類やグリセリン、１，２，４−ブタントリオール、エリスリトール等のポリオールが挙げられる。
これらの低級アルコールは１種単独あるいは２種以上と組み合わせて用いる事ができる
。
【００１５】
本発明に併用しうる成分として炭酸カルシウム、タルク、マイカ、カオリン、ラウロイルリジン、二酸化チタン、二酸化亜鉛等の粉末成分；ホホバ油、マカデミアナッツ油、アボガド油、月見草油、ミンク油、ナタネ油、ヒマシ油、ヒマワリ油、トーモロコシ油、カカオ油、ヤシ油、コメヌカ油、オリーブ油、アーモンド油、ごま油、サフラワー油、大豆油、椿油、パーシック油、ヒマシ油、ミンク油、綿実油、モクロウ、パーム油、パーム核油、卵黄油、ラノリン、スクワレン等の天然動植物油脂類、合成トリグリセライド；スクワラン、流動パラフィン、ワセリン、セレシン、マイクロクリスタリンワックス、イソパラフィン等の炭化水素類；カルナバウロウ、パラフィンワックス、鯨ロウ、ミツロウ、キヤンデリラワックス、ラノリン等のワックス類；セタノール、ステアリルアルコール、ラウリルアルコール、セトステアリルアルコール、オレイルアルコール、ベヘニルアルコール、ラノリンアルコール、水添ラノリンアルコール、ヘキシルデカノール、オクチルドデカノール等の高級アルコール類；ラウリン酸、ミリスチン酸、パルミチン酸、ステアリン酸、ベヘニン酸、イソステアリン酸、オレイン酸、リノレン酸、リノール酸、オキシステアリン酸、ウンデシレン酸、ラノリン脂肪酸、硬質ラノリン脂肪酸、軟質ラノリン脂肪酸等の高級脂肪酸類；コレステリル−オクチルドデシル−ベヘニル等のコレステロールおよびその誘導体；イソプロピルミリスチン酸、イソプロピルパルミチン酸、イソプロピルステアリン酸、２エチルヘキサン酸グリセロール、ブチルステアリン酸、リノール酸エチル等のエステル類；ジエチレングリコールモノプロピルエーテル、ポリオキシエチレンポリオキシプロピレンペンタエリトリトールエーテル、ポリオキシプロピレンブチルエーテル等の極性オイル；その他、メチルフェニルポリシロキサン、メチルポリシロキサン、オクタメチルシクロテトラシロキサン、デカメチルシクロペンタシロキサン、ドデカメチルシクロヘキサシロキサン、メチルシクロポリシロキサン、オクタメチルトリシロキサン、デカメチルテトラシロキサン、ポリオキシエチレン・メチルポリシロキサン共重合体、ポリオキシプロピレン・メチルポリシロキサン共重合体、ポリ（オキシエチレン・オキシプロピレン）メチルポリシロキサン共重合体、メチルハイドロジェンポリシロキサン、テトラヒドロテトラメチルシクロテトラシロキサン、ステアロキシメチルポリシロキサン、セトキシメチルポリシロキサン、メチルポリシロキサンエマルション、高重合メチルポリシロキサン（１）および（２）、トリメチルシロキシケイ酸、架橋型メチルポリシロキサン、架橋型メチルフェニルポリシロキサン、架橋型メチルフェニルポリシロキサン、架橋型メチルフェニルポリシロキサン（２）等、更にはアミノ変性シリコーン、エポキシ変性シリコーン、カルボキシル変性シリコーン、カルビノール変性シリコーン、メタクリル変性シリコーン、メルカプト変性シリコーン、フェノール変性シリコーン、片末端反応性シリコーン、異種官能基変性シリコーン、ポリエーテル変性シリコーン、メチルスチリル変性シリコーン、アルキル変性シリコーン、高級脂肪酸エステル変性シリコーン、親水性特殊変性シリコーン、高級アルコキシ変性シリコーン、高級脂肪酸含有シリコーン、フッ素変性シリコーン等の各種誘導体を含むシリコーン類；を挙げることが出来る。
【００１６】
また、その他添加剤としてパラアミノ安息香酸およびその誘導体、ホモメチル−７Ｎ−アセチルアラントイラニレート、ブチルメトキシベンゾイルメタン、ジ−パラメトキシケイ皮酸ーモノー２ーエチルヘキサン酸グリセリル、オクチルシンナメート等のパラメトキシケイ皮酸誘導体、アミルサリシレート等のサリチル酸誘導体、２，４−ジヒドロキシベンゾフェノン等のベンゾフェノン誘導体、ジメトキシベンジリデンジオキソイミダゾリンプロピオン酸エチルヘキシル、酢酸液状ラノリン、コガネバナ根抽出エキス、トリアニリノ−ｐ−カルボエチルヘキシルオキシ−トリアジン等の紫外線吸収剤；アルブチン、コウジ酸、リン酸アスコルビン酸マグネシウムなどのアスコルビン酸およびその誘導体、グルタチオン、甘草エキス、チョウジエキス、茶抽出物、アスタキサンチン、牛胎盤エキス、トコフェロールおよびその誘導体、トラネキサム酸およびその塩、アズレン、γ−ヒドロキシ酪酸等の美白成分；マルチトール、ソルビトール、グリセリン、プロピレングリコー
ル、１，３−ブチレングリコール、ポリエチレングリコール、グリコール等の多価アルコール、ピロリドンカルボン酸ソーダ、乳酸ソーダ、クエン酸ソーダなど有機酸およびその塩、ヒアルロン酸ソーダなどヒアルロン酸およびその塩、酵母および酵母抽出液の加水分解物、酵母培養液、乳酸菌培養液など醗酵代謝産物；エチレンジアミン四酢酸およびその塩類、ヒドロキシエチレンジアミン３酢酸およびその塩類、リン酸、アスコルビン酸、コハク酸、グルコン酸、ポリリン酸塩類、メタリン酸塩類などの金属イオン封鎖剤；ブチルヒドロキシトルエン、トコフェロール、フィチン酸等の酸化防止剤；安息香酸、安息香酸ナトリウム、ウンデレン酸、サリチル酸、ソルビン酸、ソルビン酸カリウム、デヒドロ酢酸、デヒドロ酢酸ナトリウム、パラオキシ安息香酸エステル類及びその塩等の有機酸及びその誘導体、イソプロピルメチルフェノール、グルコン酸クロルヘキシジン、クレゾール、クロロチモール、クロロフェネシン、クロロクレゾール、ジクロロキシレノール、ジクロロベンジルアルコール、チオビスクロロフェノール、チモール、トリクロロカルバニリド、トリクロロヒドロキシジフェニルエーテル、ナトリウムフェノキシド、パラクロロフェノール、ハロカルバン、フェニルエチルアルコール、フェニルフェノール、フェニルフェノールナトリウム、フェノキシエタノール、フェノール、フェキサクロロフェン、ベンジルアルコール等のフェノール類、塩化ステアリルジメチルベンジルアルコール、塩化ステアリルトリメチルアンモニウム、塩化セチルトリメチルアンモニウム、塩化ベンザルコニウム、塩化セチルピリジウム、塩化ベンゼトニウム、塩化メチルベンゼトニウム、塩化ラウリルトリメチルアンモニウム、塩化ラウリルピリジニウム、塩化ラウロイルコラミノホルミルメチルピリジニウム、臭化アルキルイソキノリニウム、臭化セチルトリメチルアンモニウム、臭化ドミフェン、臭化ラウリルトリメチルアンモニウム、セチルトリメチルアンモニウムサッカリン等の４級アンモニウム塩、塩酸アルキルジアミノエチルグリシン等の両性界面活性剤、プラトニン、ピオニン、ルミネキス、感光素ＮＫ１４３等の感光素、茶エキス、ヒノキキチオール、リンゴエキス、ポリリジン等の抗菌活性を持つ植物抽出液、その他グルタラール、クロラミンＴ、クロルヘキシジン、ジイセチオン酸ジプロモプロパミジン、ジンクピリチオン、トリクロサン、ピリチオンＮａ、フルフラール、クロラミンＴ等が挙げられる。この中でも特に好ましい防腐剤として安息香酸及びその塩、サリチル酸、ソルビン酸、ソルビン酸カリウム、デヒドロ酢酸、デヒドロ酢酸ナトリウム、パラオキシ安息香酸エステル類、塩化セチルピリジウム、塩化ステアリルジメチルベンジルアンモニウム、茶エキス、ヒノキキチオール、リンゴエキス、ポリリジン、トリクロサン等の抗菌・防腐剤；αトコフェロール、βトコフェロール、γトコフェロール等のビタミンＥ類、ビタミンＤ類、ビタミンＨ、パントテン酸等のビタミン類；ニコチン酸アミド、ニコチン酸ベンジル、γ−オリザノール、アラントイン、グリチルリチン酸（塩）グリチルレチン酸およびその誘導体、ヒノキチオール、ムシジン、ビサボロール、ユーカリプトール、チモー���イノシトール、サポニン類（キラヤサポニン、アズキサポニン、ヘチマサポニン等）トラネキサム酸、パントテルエチルエーテル、エチニルエストラジオール、セファランジン、プラセンタエキス、センブリエキス、セファランチン、ビタミンＥおよびその誘導体、ガンマーオリザノールなどの血行促進剤；トウガラシチンキ、ショオウキョウチンキ、カンタリスチンキ、ニコチン酸ベンジルエステルなどの局所刺激剤、各種ビタミンやアミノ酸などの栄養剤、グリチルレチン酸、グリチルリチン酸誘導体、アラントイン、アズレン、アミノカプロン酸、ヒドロコルチゾンなどの抗炎症剤；酸化亜鉛、硫酸亜鉛、アラントインヒドロキシアルミニウム、塩化アルミニウム、スルホ石炭酸亜鉛、タンニン酸などの収斂剤；メントール、カンフルなどの清涼剤；抗ヒスタミン剤；トコフェロール類、ＢＨＡ、ＢＨＴ、没食子酸、ＮＤＧＡなどの酸化防止剤等の各種薬剤サッカロマイセスなどの酵母、糸状菌、バクテリア、牛胎盤、人胎盤、人臍帯、酵母、牛コラーゲン、牛乳由来蛋白、小麦、大豆、牛血液、ブタ血液、鶏冠、カミツレ、キュウリ、コメ、シアバター、シラカバ、茶、トマト、ニンニク、ハマメリス、バラ、ヘチマ、ホップ、モモ、アンズ、レモン、キウイ、ドクダミ、トウガラシ、クララ、ギシギシ、コウホネ、セージ、ノコギリ草、ゼニアオイ、センキュウ、センブリ、タイム、トウキ、トウヒ、バーチ、スギナ、ヘチマ、マロニエ、ユキノシタ、アルニカ、ユリ、ヨモギ、シャクヤク、アロ
エ、アロエベラ、オウゴン、オウバク、コウカ、ベニバナ、サンシン、シコン、タイソウ、チンピ、ニンジン、ヨクイニン、ハトムギ、クチナシ、サワラ等の動植物・微生物およびその一部から有機溶媒、アルコール、多価アルコール、水、水性アルコール等で抽出または加水分解して得た天然エキス；色素；香料；精製水等を配合することができる。
これらの添加剤は１種単独あるいは２種以上と組み合わせて用いる事ができる。
【実施例】
【００１７】
下記に本発明の実施例を詳細に説明する。
実施例、比較例で使用する原料名（略称）研磨剤名称（略称）は下記の通りである。
ＰＯＥ（６）ＰＯＰ（２）アルキルエーテル（アルキル：Ｃ１０のゲルベアルコール）：第一工業製薬株式会社製ノイゲンＸＬ−６０（以下、ＸＬ−６０と略す）。
ＰＯＥ（８）ＰＯＰ（２）アルキルエーテル（アルキル：Ｃ１０のゲルベアルコール）：第一工業製薬株式会社製ノイゲンＸＬ−８０（以下、ＸＬ−８０と略す）。
ＰＯＥ（９）アルキルエーテル（アルキル：Ｃ１２の２級アルコール）：株式会社日本触媒社製ソフタノール９０（以下、ソフタノール９０と略す）。
ＰＯＥ（５）ＰＯＰ（２）アルキルエーテル（アルキル：Ｃ１２の直鎖アルコール）：第一工業製薬株式会社製ノイゲンＬＰ−７０Ｅ（以下、ＬＰ−７０と略す）。
ＰＯＥ（９）アルキルエーテル（アルキル：Ｃ１２の直鎖アルコール）：日光ケミカルズ株式会社製ＮＩＫＫＯＬ  ＢＬ−９ＥＸ（以下、ＢＬ−９ＥＸと略す）。
ＰＯＥ（７）アルキルエーテル（アルキル：Ｃ１２〜１４の直鎖アルコール）：ライオン株式会社製レオックスＣＣ−９０（以下、ＣＣ−９０と略す）
結晶セルロース：旭化成ケミカルズ社製セオラスＴＧ―１０１Ｌ（以下、セオラスと略す）。
ポリエチレン１：ティコナジャパン株式会社製ＧＵＲ２１２２（以下、ＧＵＲ２１２２と略す）。
ポリエチレン２：ティコナジャパン株式会社製ＧＵＲ４１５０（以下、ＧＵＲ４１５０と略す）。
ポリエチレン３：旭化成ケミカルズ社製ＳＨ８１０（以下、サンファインと略す）。
発泡スチロール：西日本発泡スチロールリサイクル株式会社製ＥＮ２（以下、ＥＮ２と略す）。
カルボキシルビニルポリマー：ＢＦＧｏｏｄｒｉｃｈ社製カーボポール９４１（以下、カーボポール）。
２５％Ｗ／Ｗ水酸化ナトリウム：純正化学株式会社製２５％Ｗ／Ｗ水酸化ナトリウム（以下、２５％水酸化Ｎａと略す）。
【００１８】
実施例、比較例中で行う性能評価試験方法は下記の通りである。
洗浄力の評価：カーボンブラック（東海カーボン  ＳＥＡＳＴ・ＫＨ  Ｎ−３３９）１部に対してシリコングリース（信越化学工業株式会社製  ＨＩＶＡＣ−Ｇ）１０部を良く混ぜたものを、５ｃｍ四方に切り取った白色の人工皮（ソフトセメリー１００３  カラー：１）に０．１ｇを塗り、その上に洗浄液（研磨剤含有洗浄剤等）を０．５ｇ滴下した後、縦５回横５回縦５回横５回づつ指で洗浄し水道水で洗い流す。人工皮に残ったカーボンブラックの程度を色差計のＬ値にて判定する。評価基準は下記の通りである。
×：４５以下
○：４６〜６０
◎：６１以上
皮膚刺激性の評価：日本白色種ウサギ雄の背部を除毛した健常皮膚部に１０％水溶液、０．５ｍｌを２．５ｃｍ×２．５ｃｍのリント布に含浸させたものを投与部位に貼付し、２４時間閉塞貼付を行い、３，２４、４８時間後にそれぞれ刺激反応の観察を行いＤｒａｉｚｅ法の判定基準に従って判定する。評価基準は以下の通りである。
一次刺激率が、
◎：０．０未満
○：０．０〜２．０未満
×：２．０以上
環境性（ＢＯＤ、ＣＯＤ）の評価：界面活性剤あるいは溶剤０．１％水溶液についてＪＩＳＫ０１０２に準じて行った。
【００１９】
[実施例１]
ＧＵＲ４１５０：４％とＸＬ−６０：１２％と精製水とカーボポール９４１と２５％水酸化ナトリウムを添加して３５００〜４５００ｃｐｓ（Ｂ型粘度計  ＮＯ．４  ６０ｒｐｍ２分間）になるように調整し、全体を１００％とする。これの性能評価試験結果を表１に示す。
[実施例２]
サンファイン：８％とＸＬ−６０：１２％と精製水とカーボポール９４１と２５％Ｗ／Ｗ水酸化ナトリウムを添加して３５００〜４５００ｃｐｓ（Ｂ型粘度計  ＮＯ．４  ６０ｒｐｍ２分間）になるように調整し全体を１００％とする。これの性能評価試験結果を表１に示す。
[実施例３]
セオラス：８％とＸＬ−６０：１２％と精製水とカーボポール９４１と２５％Ｗ／Ｗ水酸化ナトリウムを添加して３５００〜４５００ｃｐｓ（Ｂ型粘度計  ＮＯ．４  ６０ｒｐｍ２分間）になるように調整し全体を１００％とする。これの性能評価試験結果を表１に示す。
[実施例４]
ＧＵＲ２１２２：４％とＸＬ−６０：１２％と精製水とカーボポール９４１と２５％Ｗ／Ｗ水酸化ナトリウムを添加して３５００〜４５００ｃｐｓ（Ｂ型粘度計  ＮＯ．４  ６０ｒｐｍ２分間）になるように調整し全体を１００％とする。これの性能評価試験結果を表１に示す。  
【００２０】
[比較例１]
ＧＵＲ４１５０：４％とＬＰ−７０：１２％と精製水とカーボポール９４１と２５％水酸化ナトリウムを添加して３５００〜４５００ｃｐｓ（Ｂ型粘度計  ＮＯ．４  ６０ｒｐｍ  ２分間）になるように調整し全体を１００％とする。これの性能評価試験結果を表１に示す。
[比較例２]
サンファイン：８％とＬＰ−７０：１２％と精製水とカーボポール９４１と２５％Ｗ／Ｗ水酸化ナトリウムを添加して３５００〜４５００ｃｐｓ（Ｂ型粘度計  ＮＯ．４  ６０ｒｐｍ２分間）になるように調整し全体を１００％とする。これの性能評価試験結果を表１に示す。
[比較例３]
ＥＮ２：１６％とＢＬ−９ＥＸ：２０％と精製水とカーボポール９４１と２５％Ｗ／Ｗ水酸化ナトリウムを添加して３５００〜４５００ｃｐｓ（Ｂ型粘度計  ＮＯ．４  ６０ｒｐｍ２分間）になるように調整し全体を１００％とする。これの性能評価試験結果を表１に示す。
[比較例４]
セオラス：９０％とＬＰ−７０：１０％とを混合攪拌し錠剤に成型する。これの性能評価試験結果を表１に示す。
【００２１】
[実施例５]
ＥＮ２：１６％とソフタノール９０：２０％と精製水とカーボポール９４１と２５％Ｗ／Ｗ水酸化ナトリウムを添加して３５００〜４５００ｃｐｓ（Ｂ型粘度計  ＮＯ．４  ６０ｒｐｍ２分間）になるように調整し全体を１００％とする。これの性能評価試験結果を
表１に示す。
[実施例６]
ＥＮ２：４％とソフタノール９０：５％と精製水とカーボポール９４１と２５％Ｗ／Ｗ水酸化ナトリウムを添加して３５００〜４５００ｃｐｓ（Ｂ型粘度計  ＮＯ．４  ６０ｒｐｍ２分間）になるように調整し全体を１００％とする。これの性能評価試験結果を表１に示す。
[実施例７]
セオラス：９０％とＸＬ−６０：１０％とを混合攪拌し錠剤に成型する。これの性能評価試験結果を表１に示す。
[実施例８]
ＧＵＲ２１２２：４％とＸＬ−６０：１２％及びＸＬ−８０：４％と精製水をカーボポール９４１と２５％Ｗ／Ｗ水酸化ナトリウムを添加して３５００〜４５００ｃｐｓ（Ｂ型粘度計ＮＯ．４  ６０ｒｐｍ２分間）になるように調整し全体を１００％とする。これの性能評価試験結果を表１に示す。
【００２２】
[比較例５]
トリエチレングリコールモノブチルエーテル（一般品）単独の性能評価試験結果を表２に示す。
[比較例６]
トリプロピレングリコールモノメチルエーテル（日本乳化剤株式会社製：ＭＦＴＧ）単独の性能評価試験結果を表２に示す。
[比較例７]
３−メトキシー３−メチルブチルアセテート（株式会社クラレ製：ソルフィットアセテート）単独の性能評価試験結果を表２に示す。
[比較例８]
ブチルグリシジルエーテル（日本油脂株式会社製：エビオールＢ）単独の性能評価試験結果を表２に示す。
[比較例９]
エチレングリコールモノメチルエーテル（一般品）単独の性能評価試験結果を表２に示す。
[比較例１０]
ＣＣ−９０単独の性能評価試験結果を表２に示す。
[実施例９]
ＸＬ−６０単独の性能評価試験結果を表２に示す。
[実施例１０]
ソフタノール９０単独の性能評価試験結果を表２に示す。
【００２３】
【表１】
2006160964.tif 000004
【００２４】
【表２】
2006160964.tif 000005
【産業上の利用可能性】
【００２５】
本発明は、切削油や粘度の高いグリース類、人体に付着した皮脂、土汚れ、カーボンブラック等の頑固な汚れを除去する研磨剤含有洗浄剤として最適である。